(57)【要約】【課題】簡単な構成で従来よりも蓋のがたつきを効果的に抑制することができるリアクトルを提供する。【解決手段】コイル２と磁性コアの組合体１０、ケース６、および蓋９を備えるリアクトル１である。コイル２は、巻線を巻回してなる部材である。磁性コア３は、コイル２の内部に挿通される部材である。ケース６は、コイル２と磁性コア３の組合体１０を収納する部材である。蓋９は、ケース６の開口部の少なくとも一部を覆う部材である。ケース６と蓋９はそれぞれ、互いに押圧し合うケース側押圧係合部６Ｐと蓋側押圧係合部９Ｐとを備える。【選択図】図１
2014027026.tif 000002
【特許請求の範囲】
【請求項１】
巻線を巻回してなるコイルと、
そのコイルの内部に挿通される磁性コアと、
これらコイルおよび磁性コアの組合体を収納するケースと、
前記ケースの開口部の少なくとも一部を覆う蓋と、
を備えるリアクトルであって、
前記ケースと前記蓋はそれぞれ、互いに押圧し合うケース側押圧係合部と蓋側押圧係合部とを備えることを特徴とするリアクトル。
【請求項２】
前記ケース側押圧係合部と前記蓋側押圧係合部の一方は突起、他方はその突起を受け入れる孔である請求項１に記載のリアクトル。
【請求項３】
前記ケース側押圧係合部が孔、前記蓋側押圧係合部が突起である請求項２に記載のリアクトル。
【請求項４】
前記突起は先細りの形状である請求項２または３に記載のリアクトル。
【請求項５】
前記突起の先端側には、前記突起の軸を中心に、前記突起の周方向に並ぶ複数のフィンが設けられる請求項２〜４のいずれか一項に記載のリアクトル。
【請求項６】
前記蓋は、ケース外壁面の開口部寄りの部分に被さる庇部を備え、
前記ケース側押圧係合部は、前記ケースの開口縁部に設けられ、前記ケースの外側方向に突出する突起であり、
前記蓋側押圧係合部は、前記庇部の内周面の一部で構成されている請求項１に記載のリアクトル。
【請求項７】
さらに、前記ケースと蓋に互いに嵌め合うスナップフィット構造を備える請求項１〜６のいずれか一項に記載のリアクトル。
【請求項８】
前記ケースは、
底板部と、
前記底板部とは別個に作製され、固定部材により前記底板部に取り付けられる側壁部と、を備え、
前記蓋と前記側壁部とは樹脂製である請求項１〜７のいずれか一項に記載のリアクトル。
【請求項９】
前記側壁部は、前記コイルの端部に取り付けられる端子部材を固定するための端子台を備え、
前記蓋は、前記端子台上に配置される端子部材の上面をカバーする端子カバー部を備える請求項８に記載のリアクトル。
【請求項１０】
請求項１〜９のいずれか一項に記載のリアクトルを備えるコンバータ。
【請求項１１】
請求項１０に記載のコンバータを備える電力変換装置。
【発明の詳細な説明】
【技術分野】
【０００１】
本発明は、コイルと磁性コアの組合体をケースに収納し、ケースの開口部に蓋を被せたリアクトル、リアクトルを用いたコンバータ、およびコンバータを用いた電力変換装置に関する。
【背景技術】
【０００２】
リアクトルやモータといった、巻線を巻回してなるコイルと、このコイルの内部に挿通される磁性コアとを備える磁性部品が種々の分野で利用されている。例えば、特許文献１は、ハイブリッド自動車といった車両に載置されるコンバータの回路部品に利用されるリアクトルを開示している。この特許文献１のリアクトルは、並列に配置される一対のコイル素子を有するコイルと、環状の磁性コアとの組合体を備える。この組合体はケースの内部に収納された状態で封止樹脂によって封止され、ケースの開口部は蓋で閉じられている。蓋を設けることで、ケース内の組合体や封止樹脂を物理的・化学的に保護することができる。また、この特許文献１のリアクトルでは、スナップフィット構造、即ち、蓋の外縁部に設けられる環状の留め具と、ケースの外壁面から突出する係合爪と、を係合させる構造によって、ケースから蓋が外れることを防止している。
【先行技術文献】
【特許文献】
【０００３】
【特許文献１】意匠登録第１４２６９６２公報
【発明の概要】
【発明が解決しようとする課題】
【０００４】
しかし、環状の留め具と係合爪との係合によるスナップフィット構造では、ケースに対する蓋の固定が十分でない場合がある。近年、ハイブリッド自動車や電気自動車など、電力を駆動源に利用する車両の発達が目覚ましく、そのような車両に搭載されるリアクトルは、高周波・大電流で使用される傾向にある。高周波で使用されるリアクトルの組合体は激しく振動するため、スナップフィット構造によってケースに取り付けた蓋ががたつくことで激しい騒音が生じる恐れがある。蓋ががたつくのは、係合爪と留め具とを係合させたときに両者の間に微小ながらクリアランスができるからである。このクリアランスは、係合爪への留め具の係合のし易さを確保するため必要なものである。仮にこのクリアランスがなければ、係合爪に留め具を係合させるときに、両者の位置が少しずれただけで極端に両者を係合させ難く、最悪の場合、留め具が折損する恐れもある。
【０００５】
上記問題点を踏まえて、ケースと蓋との係合をスナップフィット構造よりも強固にするために、両者をボルトで止めることも考えられる。ボルト留め構造であれば、蓋のがたつきを効果的に防止できる。しかし、ボルト留め構造は、リアクトルの部品点数の増加と作業工程の増加を招き、リアクトルの生産性が低下する。
【０００６】
本発明は上記事情に鑑みてなされたものであり、その目的の一つは、簡単な構成で蓋のがたつきを抑制することができるリアクトルを提供することにある。また、本発明の別の目的は、本発明のリアクトルを用いたコンバータ、およびそのコンバータを用いた電力変換装置を提供することにある。
【課題を解決するための手段】
【０００７】
本発明のリアクトルは、コイルと、磁性コアと、ケースと、蓋と、を備える。コイルは、巻線を巻回してなる部材である。磁性コアは、コイルの内部に挿通される部材である。ケースは、コイルと磁性コアの組合体を収納する部材である。蓋は、ケースの開口部の少なくとも一部を覆う部材である。これらの部材を備える本発明のリアクトルのケースと蓋はそれぞれ、互いに押圧し合うケース側押圧係合部と蓋側押圧係合部とを備える。
【０００８】
上記構成のように、互いに押圧し合うケース側押圧係合部と蓋側押圧係合部により、ケースに蓋を固定することで、スナップフィット構造を採用した従来構成よりも、蓋のがたつきを効果的に抑制できる。その結果、蓋のがたつきによる騒音を効果的に抑制でき、かつケースから蓋が外れることを抑制できる。また、上記構成のリアクトルは、ケースに蓋を取り付けるだけで作製することができる。つまり、本発明のリアクトルは、ボルトでケースに蓋を固定するリアクトルのように、その作製にあたって特に部品点数や作業工程が増加することもなく、生産性に優れる。
【０００９】
本発明のリアクトルの一形態として、ケース側押圧係合部と蓋側押圧係合部の一方は突起、他方はその突起を受け入れる孔である形態を挙げることができる。この場合、突起は、ケースと蓋の対向方向に突出していれば良く、孔は、突起の軸に一致する軸を持っていれば良い。
【００１０】
上記形態は、突起を孔に圧入することで蓋をケースに固定する形態である。突起と孔は、シンプルな構成であるため容易に形成することができ、リアクトルの生産性の向上に寄与する。また、突起と孔との嵌め合いは比較的強固であり、かつ突起と孔は比較的損傷し難い形状でもあるため、ケースに対する蓋の固定を長期にわたって維持し易い。さらに、この形態では、孔の内径に対する突起の外径を調節することによって、ケースに対する蓋の固定度合いを容易に調節することができる。
【００１１】
本発明のリアクトルの一形態として、ケース側押圧係合部が孔、蓋側押圧係合部が突起である形態を挙げることができる。
【００１２】
突起と孔との係合により蓋とケースとを固定する場合、その固定を強固にするには孔の軸方向長さがある程度必要になる（例えば、５ｍｍ以上）。通常、ケースの高さは、蓋の高さ（蓋の厚み方向の長さ）よりも高いため、ケースの方が蓋に比べてある程度の軸方向長さを有する孔を形成し易い。
【００１３】
突起と孔との係合により蓋とケースとを固定する本発明のリアクトルの一形態として、突起は先細りの形状である形態を挙げることができる。
【００１４】
突起を先細りの形状とすることで、突起を孔に圧入し易くなる。特に、突起と孔を複数設ける場合、各突起を先細りの形状とすれば、ケースに対する蓋の位置合わせが非常に容易になる。
【００１５】
突起と孔との係合により蓋とケースとを固定する本発明のリアクトルの一形態として、突起の先端側には、突起の軸を中心に、突起の周方向に並ぶ複数のフィンが設けられている形態を挙げることができる。
【００１６】
突起にフィンを設けることで、そのフィンが形成された部分を突起の径方向内方に撓み易くすることができる。その結果、突起を孔に挿入し易くなる。また、フィンが形成された部分が撓み易いということは、撓んだ分だけ、突起が孔の内周面を押圧する力が強くなるので、突起と孔との係合が強固になる。
【００１７】
本発明のリアクトルの一形態として、蓋は、ケース外壁面の開口部寄りの部分に被さる庇部を備え、ケース側押圧係合部が、ケースの開口縁部に設けられ、ケースの外側方向に突出する突起である形態を挙げることができる。その場合、蓋に備わる庇部の内周面の一部が、蓋側押圧係合部として機能する形態とすれば良い。
【００１８】
上記構成によれば、ケースに蓋を取り付けたときに、ケース側押圧係合部と、蓋の庇部の内周面（蓋側押圧係合部）とが摺接され、両押圧係合部が互いに押圧しあい、ケースに対して強固に蓋が固定される。また、上記構成の両押圧係合部は、突起と孔ほど厳密な位置精度で形成する必要がなく、容易に作製することができる。ケース側押圧係合部は、蓋の庇部の内周面（蓋側押圧係合部）のどの位置に摺接させても良いからである。
【００１９】
本発明のリアクトルの一形態として、さらに前記ケースと蓋に互いに嵌め合うスナップフィット構造を備える形態としても良い。
【００２０】
スナップフィット構造を備えることで、ケースからの蓋の脱落を効果的に防止できる。スナップフィット構造は、従来同様、ケースの外側に設けられる構成であっても良いし、ケースの内側に設けられる構成であっても良い。
【００２１】
本発明のリアクトルの一形態として、ケースは、底板部と、この底板部とは別個に作製され、固定部材により底板部に取り付けられる側壁部と、を備える形態を挙げることができる。その場合、蓋と側壁部とは樹脂製とすると良い。
【００２２】
底板部と側壁部とを別個に作製することで、ケースの生産性を向上させることができる。底板部と側壁部とが最初から一体になったケースを作製することは難しいからである。例えば、金型にケースの構成材料を充填して底板部付きのケースを作製する場合、そのケースの作製のための金型が複雑になるし、複雑な金型からケースを抜く作業も煩雑になる。
【００２３】
また、ケースの側壁部と、ケースに被せる蓋を樹脂製とすることで、これらの部材を複雑形状にすることが容易になる。これら側壁部と蓋には、それらの主たる機能（側壁部であれば組合体を包囲する機能、蓋であればケースの開口部を覆う機能）の他に、追加の機能を持たせたいというニーズがある。例えば、次に示す本発明のリアクトルの一形態に示すように、側壁部に端子台としての機能を持たせたり、蓋部に端子部材を保護するカバーの機能を持たせたりすることが挙げられる。このような機能を発揮する複雑形状の部位を側壁部と蓋に形成するには、複雑形状の成形が容易な樹脂で側壁部と蓋を形成することが有利である。
【００２４】
側壁部と蓋が樹脂製である本発明のリアクトルの一形態として、側壁部は、コイルの端部に取り付けられる端子部材を固定するための端子台を備え、蓋は、端子台上に配置される端子部材の上面をカバーする端子カバー部を備える形態を挙げることができる。
【００２５】
側壁部に端子台を一体に設けることで、端子台を別個に用意する必要がなく、部品点数が少ない、生産性に優れるリアクトルとすることができる。また、蓋に端子カバー部を設けることで、端子台上の端子部材を効果的に保護することができる。
【００２６】
本発明のコンバータは、本発明のリアクトルを備える。
【００２７】
高周波での使用においても蓋ががたつき難い本発明のリアクトルを用いた本発明のコンバータは、本発明のコンバータを備える機器（例えば、ハイブリット自動車などの車両）の静粛性の向上に寄与する。
【００２８】
本発明の電力変換装置は、本発明のコンバータを備える。
【００２９】
高周波での使用においても蓋ががたつき難い本発明のリアクトルを用いた本発明の電力変換装置は、本発明の電力変換装置を備える機器（例えば、ハイブリット自動車などの車両）の静粛性の向上に寄与する。
【発明の効果】
【００３０】
本発明のリアクトルは、簡単に作製することができ、しかも高周波・大電流で使用した場合でも、ケースに取り付けた蓋ががたつくことで騒音が生じることが殆どない。
【図面の簡単な説明】
【００３１】
【図１】実施形態１に係るリアクトルの斜視図であって、ケースに蓋を取り付ける前の状態が示されている。
【図２】（Ａ）は実施形態１のリアクトルに備わる蓋の外面斜視図、（Ｂ）は蓋の内面斜視図、（Ｃ）は蓋に備わる蓋側押圧係合部の部分拡大図である。
【図３】実施形態１のリアクトルに備わるケースの分解斜視図である。
【図４】組合体の分解斜視図である。
【図５】ケースに組合体を収納する手順を示す説明図である。
【図６】（Ａ）は実施形態２に係るリアクトルに備わるケースと蓋の概略斜視図、（Ｂ）はケースに備わるケース側押圧係合部の部分拡大図である。
【図７】ハイブリッド自動車の電源系統を模式的に示す概略構成図である。
【図８】本発明コンバータを備える本発明電力変換装置の一例を示す概略回路図である。
【発明を実施するための形態】
【００３２】
以下、本発明の実施形態を図面に基づいて説明する。図中の同一符号は同一名称物を示す。
【００３３】
＜実施形態１＞
図１〜３を参照して、実施形態１のリアクトル１を説明する。図１に示すリアクトル１は、コイル２と磁性コア（図１では見えない位置にある）の組合体１０をケース６に収納し、ケース６の開口部を蓋９で閉じた構成を備える。このリアクトル１の特徴とするところは、ケース６と蓋９にそれぞれ、互いに押圧し合うケース側押圧係合部６Ｐと蓋側押圧係合部９Ｐとを設けたことにある。以下、本実施形態１のリアクトル１の各構成を詳細に説明する。
【００３４】
［組合体］
組合体１０は、巻線を巻回してなるコイル２と、このコイル２の内部に挿入される磁性コアと、を備えていれば良く、これらコイル２と磁性コアの形態は特に限定されない。組合体１０の具体的な構成については、後述するリアクトル１の製造方法において図４を参照して説明する。
【００３５】
［ケース］
ケース６は、その内部に組合体１０を収納することができる箱状の部材である（図３を合わせて参照）。本実施形態では、ケース６は、組合体１０を載置する底板部６０と、底板部６０とは別個に作製され、底板部６０に後から取り付けられる側壁部６１と、で構成される。この側壁部６１には、後述する突起状の蓋側押圧係合部（係合突起部）９Ｐが嵌め込まれる孔を有する筒状のケース側押圧係合部（係合筒部）６Ｐが二つ設けられている。
【００３６】
係合筒部６Ｐは、ケース６内への組合体１０の配置の邪魔とならない位置に複数設けることが好ましい。本実施形態では、一方の係合筒部６Ｐは、コアカバー部６Ａ上の端子台６Ｓａ，６Ｓｂの間に、他方の係合筒部６Ｐは、他方のコアカバー部の側（コイル２のＵ字状に屈曲した部分が配置される側）で、かつ側壁部６１の内壁面に設けられている。なお、コアカバー部６Ａや端子台６Ｓａ，６Ｓｂについては、後述する。
【００３７】
［蓋］
蓋９は、組合体１０を収納したケース６の開口部に被せられて、当該開口部を閉じる部材である（図２を合わせて参照）。蓋９によって、ケース６内の組合体１０を外部環境から保護することができる。この蓋９の内面のうち、上記ケース６の係合筒部６Ｐ，６Ｐに対応する位置には、ケース６に向かって突出する係合突起部９Ｐが二つ設けられている。これら係合突起部９Ｐ，９Ｐは、係合筒部６Ｐ，６Ｐの内径よりも径の大きな部分を有している。
【００３８】
［係合突起部と係合筒部］
上記係合突起部９Ｐ、および係合筒部６Ｐの孔の形状・寸法を調節することで、ケース６に対する蓋９の固定度合いや、ケース６に対する蓋９の取り付け易さを調節することができる。本実施形態では、係合筒部６Ｐの孔の内径は、孔の軸方向に一様な大きさとなっている。一方、係合突起部９Ｐは、図２（Ｃ）に示すように、根元側の基部９Ｐｓと、基部９Ｐｓよりも先端側で係合突起部９Ｐの周方向に並ぶ複数のフィン９Ｐｆと、を有する形状となっている。これらフィン９Ｐｆの包絡円は、基部９Ｐｓに繋がる部分から所定の長さまでは基部９Ｐｓと同一径を有し、フィン９Ｐｆの先端側（即ち、係合突起部９Ｐの先端側）で徐々に小さくなっている。つまり係合突起部９Ｐの先端側の一部は先細りの形状となっており、蓋９をケース６に取り付けるときに、係合突起部９Ｐを係合筒部６Ｐの孔に挿入し易くなっている。また、基部９Ｐｓの外径とフィン９Ｐｆの根元側の包絡円径は、係合筒部６Ｐの内径よりも若干大きくなっているため、係合筒部６Ｐへの係合突起部９Ｐの挿入量が大きくなると、フィン９Ｐｆが径方向内方に撓んで係合突起部９Ｐが係合筒部６Ｐの孔に圧入された状態となる。その結果、係合突起部９Ｐの径方向に、係合筒部６Ｐの孔と係合突起部９Ｐとが互いに押圧し合い、ケース６と蓋９とが強固に固定される。
【００３９】
係合突起部９Ｐの細径部（フィン９Ｐｆの先細りとなっている部分）と、係合筒部６Ｐの孔との嵌め合いは、『すきまばめ』とすると良い。一方、係合突起部９Ｐの太径部（基部９Ｐｓ、およびフィン９Ｐｆの先細りとなっていない部分）と、係合筒部６Ｐの孔との嵌め合いは、『しまりばめ』とすると良い。
【００４０】
上記係合突起部９Ｐの太径部の外径は、４ｍｍ以上とすることが好ましい。そうすることで、蓋９をケース６に取り付けるときに、係合突起部９Ｐが折損し難くなる。一方、係合突起部９Ｐの先細りとなっている突端部分の外径は特に限定されず、実質的に０ｍｍ、即ち、係合突起部９Ｐの突端が尖っていても良い。
【００４１】
ここで、係合突起部９Ｐの形状、係合筒部６Ｐの孔の形状は、両者９Ｐ，６Ｐが互いに押圧し合う状態になる形状であれば良く、上述した形状に限定されるわけではない。例えば、次に例示するような形態でも良い。
・係合突起部９Ｐの外径が一様で、係合筒部６Ｐの孔の内径は、孔の奥に行くほど狭い形態（フィン９Ｐｆの有無は問わない）。
・係合突起部９Ｐが先細りの形状で、係合筒部６Ｐの孔の内径も、孔の奥に行くほど狭い形態（フィン９Ｐｆの有無は問わない）。
・係合突起部９Ｐが先太りの形状である形態。この場合、係合筒部６Ｐの孔の内径は、一様でも良いし、孔の奥に行くほど狭くても広くても良い（フィン９Ｐｆの有無は問わない）。
【００４２】
なお、係合突起部９Ｐの基部９Ｐｓの横断面形状や係合筒部６Ｐの孔の横断面形状は円形に限定されるわけではなく、例えば、矩形などの多角形であっても良い。多角形の場合、上記『外径』・『内径』については、その多角形の外接円の『外径』・『内径』と読み替える。
【００４３】
［効果］
以上説明した構成を備えるリアクトル１は、ケース６に蓋９を取り付けるだけで、ケース６と蓋９とを強固に固定することができ、生産性に優れる。また、ケース６と蓋９とが強固に固定されているため、リアクトル１を高周波で使用しても、振動によってケース６に取り付けた蓋９ががたついたり、蓋９がケース６から外れたりすることが殆どない。蓋９のがたつきが効果的に抑制されることで、リアクトル１の使用に伴う騒音の発生を効果的に防止できる。そのため、リアクトル１を備える機器（例えばハイブリッド自動車など）の静粛性を向上させることができる。
【００４４】
［用途］
上記構成を備えるリアクトル１は、通電条件が、例えば、最大電流（直流）：１００Ａ〜１０００Ａ程度、平均電圧：１００Ｖ〜１０００Ｖ程度、使用周波数：５ｋＨｚ〜１００ｋＨｚ程度である用途、代表的には電気自動車やハイブリッド自動車などの車載用電力変換装置の構成部品に好適に利用することができる。この用途では、直流通電が０Ａのときのインダクタンスが、１０μＨ以上２ｍＨ以下、最大電流通電時のインダクタンスが、０Ａのときのインダクタンスの１０％以上を満たすものが好適に利用できると期待される。
【００４５】
［リアクトルの製造方法］
以上説明したリアクトル１は、例えば、次に示す工程α〜γに従って作製することができる。
［α］組合体１０を作製する。
［β］組合体１０をケースに収納する。
［γ］ケースに蓋を取り付ける。
以下、各手順を順次説明すると共に、本実施形態のリアクトル１に備わる各構成を詳細に説明する。
【００４６】
［α］組合体１０を作製する
本実施形態の組合体１０を図４に基づいて説明する（適宜、図１、図３も参照する）。組合体１０を構成するコイル２と磁性コア３は次の通りである。もちろん、組合体１０の構成は、以下に説明する構成に限定されるわけではない。
【００４７】
［構成部材］
〔コイル〕
コイル２は、一対のコイル素子２Ａ，２Ｂと、両コイル素子２Ａ，２Ｂを連結するコイル素子連結部２ｒとを備える。各コイル素子２Ａ，２Ｂは、互いに同一の巻数、同一の巻回方向で中空筒状に形成され、各軸方向が平行するように横並びに並列されている。また、コイル素子連結部２ｒは、コイル２の他端側（図４において紙面右側）において両コイル素子２Ａ，２Ｂを繋ぐＵ字状に屈曲された部分である。このコイル２は、接合部の無い一本の巻線を螺旋状に巻回して形成しても良いし、各コイル素子２Ａ，２Ｂを別々の巻線により作製し、各コイル素子２Ａ，２Ｂの巻線の端部同士を半田付けや圧着などにより接合することで形成しても良い。
【００４８】
コイル２は、銅やアルミニウム、その合金といった導電性材料からなる平角線や丸線などの導体の外周に、絶縁性材料からなる絶縁被覆を備える被覆線を好適に利用できる。本実施形態では、導体が銅製の平角線からなり、絶縁被覆がエナメル(代表的にはポリアミドイミド)からなる被覆平角線を利用し、各コイル素子２Ａ，２Ｂは、この被覆平角線をエッジワイズ巻きにしたエッジワイズコイルである。また、各コイル素子２Ａ，２Ｂの端面形状を長方形の角部を丸めた形状としているが、端面形状は、円形状など適宜変更することができる。
【００４９】
コイル２の両端部２ａ，２ｂは、ターン形成部分から引き延ばされて、端子部材８ａ，８ｂに接続される（図１を参照）。この端子部材８ａ，８ｂを介して、コイル２に電力供給を行なう電源などの外部装置（図示せず）が接続される。
【００５０】
〔磁性コア〕
磁性コア３は、各コイル素子２Ａ，２Ｂの内部に配置される一対の内側コア部３１，３１（点線丸囲みを参照）と、コイル２から露出されている一対の外側コア部３２，３２とを環状に組み合わせて形成される。ここで、本実施形態では、内側コア部３１，３１は、その外周面に一体に形成される被覆樹脂４０を備えるコア部品４Ａ，４Ｂの形態で用いられている。被覆樹脂４０は、いわば従来構成におけるボビンと同じ役割を果たすものと考えて良い。これらコア部品４Ａ，４Ｂは同形状の部材であり、コア部品４Ａを水平方向に１８０°回転させれば、コア部品４Ｂになる。従って、コア部品４Ｂの各部にはコア部品４Ａと同一の符号を付し、以降はコア部品４Ａを例にして説明する。
【００５１】
（コア部品）
コア部品４Ａは、柱状の内側コア部３１の外周面に被覆樹脂４０を一体に形成した部材である。端的に言えば内側コア部３１と、筒状ボビンと、枠状ボビンとが一体に形成された部材がコア部品４Ａである。
【００５２】
内側コア部３１は、図４の右下の点線丸囲みに示すように、略直方体状の磁性材料からなるコア片３１ｍと、コア片３１ｍよりも低透磁率のギャップ材３１ｇとを交互に連結した積層柱状体である。本例ではコア片３１ｍとギャップ材３１ｇの数が同数となっており、内側コア部３１の一端面（紙面左側端面）にはギャップ材３１ｇが、他端面（紙面右側端面）にはコア片３１ｍが配置されている。なお、点線丸囲みの内側コア部３１は、図中のコア部品４Ｂに配置されたときの向きで示されている。つまり、コア部品４Ａにおける内側コア部３１は、図示する内側コア部３１を水平方向に１８０°回転させた向き、即ち紙面左側端部にコア片３１ｍが、紙面右側端部にギャップ材３１ｇが配置される。
【００５３】
内側コア部３１に一体化された被覆樹脂４０は、枠状部４２Ａと、周面被覆部４１ｏＡと、係合筒部４３Ａと、を備える。周面被覆部４１ｏＡと係合筒部４３Ａとは、枠状部４２Ａの一面側から並列された状態で突出している。
【００５４】
周面被覆部４１ｏＡは、上述した内側コア部３１の周面を、その長手方向のほぼ全長に亘って覆っており、従来構成における筒状ボビンの役割を担っている。この周面被覆部４１ｏＡの先端側部分は他の部分よりも薄肉に形成されており、この薄肉の部分（係合部４１７）を、コア部品４Ａに対向するコア部品４Ｂの係合筒部４３Ａに挿入できるようになっている。そのため、コア部品４Ａ，４Ｂを互いに近づけると、両コア部品４Ａ，４Ｂの係合筒部４３Ａと係合部４１７とが嵌め合わされ、両コア部品４Ａ，４Ｂが環状に繋がった状態となる。
【００５５】
上記周面被覆部４１ｏＡが繋がる枠状部４２Ａの部分には、内側コア部３１の端面３１ｅを被覆する端部被覆部４１ｅＡが形成されており、コア部品４Ａの内側コア部３１の端面３１ｅが直接外側コア部３２に接触しないようになっている。この端部被覆部４１ｅＡは、内側コア部３１と外側コア部３２の間に配置されるギャップの役割を果たす。
【００５６】
上記係合筒部４３Ａが繋がる枠状部４２Ａの部分には、内側コア部３１を挿通させることができる大きさの貫通孔４３０が形成されている。貫通孔４３０は、係合部４１７に対応する矩形孔である。ここで、コア部品４Ａの係合筒部４３Ａに挿入されるコア部品４Ｂの内側コア部３１の端面にはギャップ材３１ｇが配置されているので、コア部品４Ｂの内側コア部３１はギャップ材３１ｇを介して外側コア部３２に繋がる。
【００５７】
枠状部４２Ａにおける周面被覆部４１ｏＡと係合筒部４３Ａとの間には仕切り部４６Ａが設けられている。仕切り部４６Ａは、コア部品４Ａ，４Ｂに嵌め込まれるコイル２の両コイル素子２Ａ，２Ｂの間に配置され、両コイル素子２Ａ，２Ｂの離隔状態を保持するものである。これによって、両コイル素子２Ａ，２Ｂ間の絶縁を確実にすることができる。
【００５８】
以上説明した被覆樹脂４０の構成材料には、ポリフェニレンサルファイド（ＰＰＳ）樹脂、ポリテトラフルオロエチレン（ＰＴＦＥ）樹脂、液晶ポリマー（ＬＣＰ）、ナイロン６、ナイロン６６、ポリブチレンテレフタレート（ＰＢＴ）樹脂などの熱可塑性樹脂を利用することができる。
【００５９】
（外側コア部）
外側コア部３２，３２は、例えばその上面が略ドーム状の柱状コア片である。紙面左側に配置される一方の外側コア部３２は、内側コア部３１，３１の一端側（紙面左側）の面に対向し、紙面右側に配される他方の外側コア部３２は、上記内側コア部３１，３１の他端側（紙面右側）に対向している。その結果、内側コア部３１，３１と外側コア部３２，３２とで環状の磁性コア３が形成される。
【００６０】
（コア片の材質）
上記内側コア部３１と外側コア部３２を構成する各コア片には、鉄などの鉄属金属やその合金などに代表される軟磁性粉末を用いた圧粉成形体や、軟磁性粉末を含む樹脂からなる成形硬化体、絶縁被膜を有する磁性薄板（例えば、電磁鋼板）を複数積層した積層体などが利用できる。
【００６１】
内側コア部３１，３１を構成するコア片３１ｍと、外側コア部３２，３２とは、磁気特性を異ならせても良い。例えば、コア片３１ｍと外側コア部３２とで使用する材質を異ならせることで両者の磁気特性を異ならせても良いし、コア片３１ｍを成形硬化体、外側コア部３２を圧粉成形体とすることで両者の磁気特性を異ならせても良い。一般に、成形硬化体に含まれる磁性粉末の量は、圧粉成形体と比較して少ない傾向にあるため、『成形硬化体の比透磁率＜圧粉成形体の比透磁率』となる。そのため、内側コア部３１のコア片３１ｍを成形硬化体、外側コア部３２を圧粉成形体とすれば、大電流で使用した場合でも磁気飽和し難い磁性コア３（リアクトル１）とすることができる。なお、成形硬化体からなる一つのコア片３１ｍと、そのコア片３１ｍの一端側に貼り合わされる一枚のギャップ材３１ｇとで内側コア部３１を形成しても良い。
【００６２】
［組立手順］
図４に示すように、本実施形態では、巻線を巻回してなるコイル２を用意し、このコイル２に複数の分割片からなる磁性コア３を組み付けることで組合体１０を完成させた。具体的には、コイル２にコア部品４Ａ，４Ｂを組み付け、さらにその組物を外側コア部３２，３２で挟み込む。もちろん、組上がった磁性コア３に巻線を巻回することでコイル２を形成し、組合体１０を完成させても良い。これら複数の分割片同士は、例えば熱硬化型の接着剤などで接合することが好ましい。接着剤が分割片同士の衝突を抑制するクッション材として機能することが期待でき、リアクトル１の使用時の騒音を抑制できるからである。
【００６３】
［その他の組合体］
図４の示す組合体１０とは異なり、上記内側コア部３１，３１をコア部品４Ａ，４Ｂの形態とすることなく組合体を作製しても良い。例えば、内側コア部３１，３１と、外側コア部３２，３２と、一対の筒状ボビンと、一対の枠状ボビンと、を用意する。そして、筒状ボビンを外周に嵌め込んだ内側コア部３１，３１を外側コア部３２，３２で挟み込むことで、磁性コア３を完成させても良い。その場合も、内側コア部３１と外側コア部３２とを接着剤を介して接合すれば、リアクトル１の使用時におけるコア部３１，３２同士の衝突を抑制でき、その結果としてリアクトル１の使用時の騒音を抑制できる。なお、上記筒状ボビンは分割片を組み合わせる構成であっても良い。
【００６４】
［β］組合体１０をケース６に収納する。
上記［α］で作製した組合体１０をケース６に収納するにあたり、本実施形態では、図５に示すように、ケース６と、絶縁シート７Ａと、接着シート７Ｂとを用意した。まず、用意した部材について説明する。
【００６５】
［用意した部材］
〔ケース〕
ケース６の説明では、主として図３を参照するものとする。本実施形態で用意したケース６は、平板状の底板部６０と、この底板部６０とは別個に作製した側壁部６１と、を組み合わせることで形成されている。両者６０，６１は、その材質を異ならせることもできるし、同じとすることもできる。
【００６６】
（底板部）
底板部６０は、組合体１０（図５参照）を支持しつつ、組合体１０からリアクトル１の取付対象（例えば、冷却ベース）への放熱経路として機能する板状の部材である。具体的には、底板部６０の一面側（紙面上方側）が組合体１０を搭載する搭載面であり、底板部６０の他面側（紙面下方側）がリアクトル１を冷却する冷却ベース（図示せず）への取付面である。
【００６７】
底板部６０の四隅にはそれぞれ、リアクトル１を冷却ベースに取り付けるための第一取付孔Ｈ１が設けられている。また、当該四隅のうち、対角位置にある二つの隅には、第二取付孔Ｈ２が設けられている。
【００６８】
上記構成を備える底板部６０は、コイル２に近接して配置されるため、非磁性材料から構成することが好ましい。また、底板部６０は、組合体１０の放熱経路に利用されるため、熱伝導性に優れる金属材料から構成する。つまり、底板部６０は、アルミニウムやその合金、あるいはマグネシウムやその合金などの非磁性金属から構成する。上記列挙した非磁性金属は軽量であるため、軽量化が望まれている車載部品の構成材料に適する。この底板部６０の厚さは、強度、磁束の遮蔽性を考慮して、２〜５ｍｍ程度とすることが好ましい。
【００６９】
（側壁部）
側壁部６１は、上方と下方に開口部を有する筒状の部材であって、既に説明した係合筒部６Ｐの他、その内壁面の上方開口部寄りの位置に係合爪６Ｃと、係合爪６Ｃの両サイドに配置されるガイド突起６Ｇと、を有する。係合爪６Ｃは、ケース６の上方から下方に向かうに従い、ケース６内周面からの突出量が漸次大きくなる断面三角形状の突起であって、後述する蓋９に備わる環状の留め具９Ｃが引っ掛られる部分である。この係合爪６Ｃは、いわゆるスナップフィット構造の一部を構成する部材である。一方、ガイド突起６Ｇ，６Ｇは、ケース６の高さ方向に延び、後述する環状の留め具９Ｃを係合爪６Ｃに係合させるときに、留め具９Ｃを両側から挟み込む一対の突条であって、留め具９Ｃを係合爪６Ｃに案内する役割を持つ。ここで、従来のスナップフィット構造は、ケース６の外側に設けられているが、本実施形態では、ケース６の内側に設けられている。
【００７０】
上記側壁部６１の下方縁部にはフランジ部６１Ｆが設けられている。フランジ部６１Ｆの輪郭形状は、上述した底板部６０の輪郭形状にほぼ一致し、そのフランジ部６１Ｆには、底板部の第一取付孔Ｈ１と第二取付孔Ｈ２に対応する位置に第三取付孔Ｈ３と第四取付孔Ｈ４が形成されている。
【００７１】
また、側壁部６１には、ケース６に組合体１０を収納したときに組合体１０の外側コア部３２，３２の周面と上面を包囲するコアカバー部６Ａ，６Ｂが設けられている（図１を合わせて参照）。つまり、コアカバー部６Ａ，６Ｂは、外側コア部３２，３２の外周面形状に対応した形状となっている。このコアカバー部６Ａ，６Ｂにより、ケース６に収納した組合体１０がケース６から脱落することを効果的に防止できる。コアカバー部６Ａ，６Ｂが設けられていることで、側壁部６１の上方開口部が組合体１０よりも小さくなっているからである。このコアカバー部６Ａ，６Ｂの内周面と、外側コア部３２，３２の外周面とのクリアランスは、０．５〜３．０ｍｍ程度とすることが好ましい。その他、コアカバー部６Ａ，６Ｂを形成することで、後述する実施形態３に示すようにケース６に封止樹脂を充填する場合、封止樹脂の量が少なくて済む。それによって、封止樹脂の充填時間の短縮化、硬化時間の短縮化といった生産性の面でのメリットが得られる（もちろん、コスト面でのメリットもある）。
【００７２】
上記コアカバー部６Ａ，６Ｂのうち、紙面手前側（組合体１０のコイル２の端部２ａ，２ｂが配置される側）のコアカバー部６Ａには、円筒状の端子台６Ｓａ，６Ｓｂが二つ設けられている。端子台６Ｓａ，６Ｓｂにはネジ穴が切ってあり、各端子台６Ｓａ，６Ｓｂに端子部材８ａ，８ｂをネジ止めできるようになっている（図１を合わせて参照）。一方、紙面奥側（コイル２のコイル素子連結部２ｒが配置される側）のコアカバー部６Ｂには、後述する温度測定部材８０（図１を合わせて参照）の取付部となるスライドレール６Ｒが設けられている。
【００７３】
その他、側壁部６１の内周面のうち、コアカバー部６Ｂの側の位置には、温度測定部材８０の取り付けの際に利用されるフック６Ｆが設けられている。
【００７４】
上記構成を備える側壁部６１は、樹脂で構成することが好ましい。樹脂であれば、例えば、射出成形などで複雑な形状に形成することが容易であるからである。側壁部６１を構成する樹脂としては、例えば、ポリブチレンテレフタレート（ＰＢＴ）樹脂、ウレタン樹脂、ポリフェニレンスルフィド（ＰＰＳ）樹脂、アクリロニトリル−ブタジエン−スチレン（ＡＢＳ）樹脂などを利用することができる。これらの樹脂は、電気絶縁性に優れることから、組合体１０のコイル２と側壁部６１との間の絶縁を確保し易い。これら樹脂には、窒化珪素、アルミナ、窒化アルミニウム、窒化ホウ素、ムライト、および炭化珪素から選択される少なくとも１種のセラミックスフィラーが含有されていても良く、そうすることで、側壁部６１の絶縁性および放熱性を向上させることができる。
【００７５】
なお、側壁部６１は金属で形成することもできる。例えば、アルミニウムなどの非磁性金属で側壁部６１を構成すれば、側壁部６１に電磁波シールドの機能を持たせることができる。
【００７６】
〔その他のケース〕
上記構成と異なり、組合体１０を収納するケース６として、底板部６０と側壁部６１とが繋ぎ目なく一体になったケース６を利用することもできる。また、ケース６として、コンバータケースを利用することもできる。
【００７７】
〔絶縁シートおよび接着シート〕
図５に示すように、絶縁シート７Ａと接着シート７Ｂは、ケース６の底板部６０に組合体１０を接着させるためのシート状部材である。絶縁シート７Ａは、非磁性金属からなる底板部６０と組合体１０との間の絶縁を確保するため部材であって、接着剤などで底板部６０に貼り付けられる。一方、接着シート７Ｂは、その両面が粘着質で柔らかく、複雑な凹凸形状を有する組合体１０を絶縁シート７Ａに強固に密着させるための部材である。
【００７８】
絶縁シート７Ａには所定の耐電圧特性（リアクトル１においては２．５ｋＶ／５０μｍ以上）が求められる。また、絶縁シート７Ａは、コイル２（コイル素子２Ａ，２Ｂ）で発生した熱を効果的に底板部６に伝達できるように、０．１Ｗ／ｍ・Ｋ以上の優れた熱伝導性を有することが好ましく、その熱伝導率は高いほど好ましい（特に好ましくは２．０Ｗ／ｍ・Ｋ以上）。
【００７９】
一方、接着シート７Ｂには、コイル２と底板部６０との間を十分に絶縁可能な程度の絶縁特性と、リアクトル１の使用時における最高到達温度に対して軟化しない程度の耐熱性が求められる。例えば、エポキシ樹脂、シリコーン樹脂、不飽和ポリエステルなどの熱硬化性樹脂や、ＰＰＳ樹脂、液晶ポリマー（ＬＣＰ）などの熱可塑性の絶縁性樹脂が接着シート７Ｂに好適に利用できる。この絶縁性樹脂には、側壁部６１の説明の際に例示したセラミックスフィラーが含有されていても良く、そうすることで、接着シート７Ｂの絶縁性および放熱性を向上させることができる。接着シート７Ｂの熱伝導率は、絶縁シート７Ａと同等程度が好ましい。
【００８０】
〔その他〕
本実施形態のリアクトル１は、リアクトル１の運転時における組合体１０の温度を監視するための温度測定部材８０を備える。温度測定部材８０は、熱電対などの公知の温度センサ８１と、その温度センサ８１に接続される配線８２と、配線８２の端部を保持する筒状の保持部８３と、を備える。筒状の保持部８３の一側開口部に上記配線８２が挿入され、保持部８３の内部に配線８２が保持されている。そのため、リアクトル１の外部にある測定機器の配線を、保持部８３の他側開口部に挿入すれば、温度センサ８１と測定機器とが電気的に接続される。また、保持部８３の外周面にはスライド溝が形成されており、上述したケース６の側壁部６１に設けられるスライドレール６Ｒに保持部８３を取り付けることができるようになっている。
【００８１】
［組合体１０の収納手順］
まず、底板部６０の上面に接着剤を用いて絶縁シート７Ａを取り付け、その絶縁シート７Ａの上に接着シート７Ｂと組合体１０を載置する。接着シート７Ｂは柔軟性を有するため、組合体１０の下面の凹凸に入り込み、底板部６０に対して組合体１０が固定される。なお、底板部６０の上面に接着剤を塗布もしくは印刷し、その上に組合体１０を載置することで底板部６０に組合体１０を固定しても良い。
【００８２】
次に、組合体１０の上方から側壁部６１を被せ、ネジ６３（固定部材）を用いて側壁部６１と底板部６０とを一体化する。このネジ止めには、側壁部６１の第四取付孔Ｈ４と、底板部６０の第二取付孔Ｈ２を用いる。
【００８３】
最後に、組合体１０のコイル２の端部２ａ，２ｂに端子部材８ａ，８ｂを取り付けると共に、温度測定部材８０を配置する。端子部材８ａ，８ｂは、滑り台のような形状をしており、その一端をコイル２の端部２ａ，２ｂに圧接や溶接し、その中間部をネジにより端子台６Ｓａ，６Ｓｂに固定する。そうすることで、端子部材８ａ，８ｂの他端（即ち、リアクトル１に電力を供給する電気機器との接続端）が、ケース６の上端（即ち、側壁部６１の上端）よりも低い位置に配置される。
【００８４】
一方、温度測定部材８０の配置にあたり、温度センサ８１は組合体１０のコイル素子２Ａ，２Ｂ間に配置されるようにする（図１を合わせて参照）。また、配線８２は、コイル素子２Ａ，２Ｂ間の溝に這わせて、側壁部６１のフック６Ｆに引っかけ、保持部８３はスライドレール６Ｒに嵌め込む。
【００８５】
［γ］ケース６に蓋９を取り付ける。
［用意した部材］
〔蓋〕
図１、図２に示すように、本実施形態の蓋９は、側壁部６１の上方開口部全てを覆う大きさを備える。さらに、この蓋９は、ケース６に取り付けたときに側壁部６１の上方開口部から張り出す端子カバー部９０を備える。
【００８６】
蓋９の内面には、既に説明した係合突起部９Ｐの他、ケース６の内部空間に向かって突出する留め具９Ｃが形成されている。本実施形態の留め具９Ｃは、環状に形成されており、上述したケース６の側壁部６１の内壁面に設けられた係合爪６Ｃに係合する。留め具９Ｃと係合爪６Ｃは、いわゆるスナップフィット構造を構成するものである。このスナップフィット構造により、ケース６に対する蓋９の固定を強固にすることができる。
【００８７】
［蓋の取り付け］
以上説明した蓋９を、ケース６の上方開口部に取り付ける。その際、蓋９の係合突起部９Ｐをケース６の係合筒部６Ｐの位置に合わせ、蓋９をケース６に向かって押す。そうすることで、係合突起部９Ｐが係合筒部６Ｐに圧入されると共に、蓋９の留め具９Ｃがケース６の係合爪６Ｃに係合し、ケース６に蓋９が取り付けられる。このとき、係合爪６Ｃの両サイドにガイド突起６Ｇ，６Ｇが形成されているため、留め具９Ｃがスムースに係合爪６Ｃに案内される。また、蓋９をケース６に取り付ければ、蓋９の端子カバー部９０によって端子部材８ａ，８ｂの一部（端子台６Ｓａ，６Ｓｂに固定される部分）が覆われ、その覆われた部分が機械的衝撃から保護される。
【００８８】
以上のようにして完成させたリアクトル１は、冷却ベースに取り付ける。その取り付けの際は、ケース６の第三取付孔Ｈ３にネジを打てば良い。
【００８９】
＜実施形態２＞
実施形態２では、実施形態１とは異なるケース側押圧係合部と蓋側押圧係合部を備えるリアクトルを図６に基づいて説明する。両押圧係合部以外の構成は、実施形態１と同様であるため、以下では蓋とケースのみを説明する。図６にも、蓋と、ケースのみしか示さない。
【００９０】
本実施形態におけるケース側押圧係合部６Ｑは、図６（Ａ）に示すように、ケース６の上方開口部寄りの内壁面に繋がり、その上方開口部から突出する部材である。このケース側押圧係合部６Ｑは、図６（Ｂ）に示すように、側壁部６１の壁面に平行なベース部６Ｑｂと、ベース部６Ｑｂの外面側で、ケース６の外側方向に張り出す二つの張出部６Ｑｏ，６Ｑｏと、を備える。張出部６Ｑｏ，６Ｑｏは、畝状の部分で、その上方側の部分がベース部６Ｑｂ側に傾斜している。なお、張出部６Ｑｏは一つでも構わないが、二つ設けることで、ケース６に対する蓋９の固定を強固にできる。
【００９１】
一方、図６（Ａ）に示すように、本実施形態における蓋側押圧係合部９Ｑは、蓋９に備わる庇部９１の内周面のうち、蓋９をケース６に取り付けたときに、ケース蓋側押圧係合部６Ｑの張出部６Ｑｏに接触する部分である。庇部９１は、ケース６に蓋９を取り付けたときに、ケース６外壁面の開口部寄りの部分に被さる部分のことである。なお、実施形態１の説明の際には述べなかったが、この庇部９１は、実施形態１の蓋９にも設けられている。
【００９２】
以上説明した構成を備える蓋９をケース６に取り付ければ、ケース側押圧係合部６Ｑの張出部６Ｑｏに、庇部９１の内周面が摺接する。その際、ケース側押圧係合部６Ｑは、ケース６の内方側に押圧されるが、同時にベース部６Ｑｂの弾性により庇部９１の内周面（蓋側押圧係合部９Ｑ）を押し返す。その結果、ケース６のケース蓋側押圧係合部６Ｑと、蓋９の蓋側押圧係合部９Ｑとが互いに押圧し合い、ケース６に対して蓋９が強固に固定され、ケース６に対する蓋９のがたつきと脱落が効果的に防止される。
【００９３】
ここで、上述した庇部９１の内周面から張り出す蓋側張出部を形成しても良い。例えば、ケース６に蓋９を取り付けたときに、蓋側張出部が、ケース側押圧係合部６Ｑの張出部６Ｑｏ，６Ｑｏの間に配置されるように、蓋側張出部を蓋９に形成すれば良い。
【００９４】
＜実施形態３＞
上記実施形態１，２のリアクトルにおいて、ケース６の内部に封止樹脂を充填する例を図１に基づいて説明する。
【００９５】
ケース６に封止樹脂を充填する場合、封止樹脂は、ケース６内の組合体１０のほぼ全て（コイル２の端部２ａ，２ｂを除く）を覆うように、ケース６の内部に充填すると良い。封止樹脂によって、ケース６内での組合体１０の位置を固定することができる。また、封止樹脂によって、組合体１０を機械的な衝撃や腐食雰囲気から保護することができる。その他、封止樹脂は、リアクトル１を動作させたときに組合体１０で発生した熱をケース６側に逃がす放熱経路としての役割も持つ。
【００９６】
ケース６への封止樹脂の充填量は、適宜選択することができる。ケース６の側壁部６１の縁一杯にまで封止樹脂を充填しても構わない。但し、点検などのためにリアクトル１の蓋９を取り外すことを想定しているのであれば、ケース６内への封止樹脂の充填量は、封止樹脂が蓋９のいずれの部分にも接触しない量とする。つまり、ケース６内の封止樹脂の上端面が、ケース６に取り付けた蓋９の下端部（図１にあっては係合突起部９Ｐの下端もしくは留め具９Ｃの下端）よりも低い位置となるように、封止樹脂の充填量を調節する。逆に、リアクトル１の蓋９を取り外さないのであれば、封止樹脂が蓋９に接触する、あるいは蓋９の一部が封止樹脂に埋設される位置まで、ケース６内に封止樹脂を充填すると良い。そうすることで、ケース６に対する蓋９の固定をより強固にすることができる。なお、言うまでもないが、封止樹脂で蓋９を固定する場合、封止樹脂が硬化する前に、ケース６に蓋９を取り付ける。
【００９７】
以上説明した実施形態３の構成によれば、封止樹脂を設けたことによる効果、即ち、ケース６内での組合体１０の固定効果、組合体１０の保護効果、および組合体１０で発生した熱を逃がして組合体１０の動作を安定させる効果を奏する。また、封止樹脂で蓋９を止めてしまえば、ケース６に対する蓋９のがたつきと脱落をより効果的に防止することができる。
【００９８】
＜変形実施形態＞
実施形態１〜３のリアクトルは、ケースの内部で係合するスナップフィット構造を備えているが、ケースの外部で係合するスナップフィット構造を備えるリアクトルとしても良い。また、スナップフィット構造自体を備えないリアクトルであっても当然構わない。ケース蓋側押圧係合部と蓋側押圧係合部との係合により、蓋のがたつきを効果的に抑制することができるからである。
【００９９】
上記変形実施形態の構成によれば、ケースに対して蓋を取り外し自在とすることができる。もちろん、ケース蓋側押圧係合部と蓋側押圧係合部との係合が強固であるため、蓋が取り外し自在とはいっても、蓋が簡単に外れるわけではない。
【０１００】
＜実施形態４＞
実施形態１〜３や変形実施形態のリアクトルは、例えば、車両などに載置されるコンバータの構成部品や、このコンバータを備える電力変換装置の構成部品に利用することができる。
【０１０１】
例えば、ハイブリッド自動車や電気自動車といった車両１２００は、図７に示すようにメインバッテリ１２１０と、メインバッテリ１２１０に接続される電力変換装置１１００と、メインバッテリ１２１０からの供給電力により駆動して走行に利用されるモータ（負荷）１２２０とを備える。モータ１２２０は、代表的には、３相交流モータであり、走行時、車輪１２５０を駆動し、回生時、発電機として機能する。ハイブリッド自動車の場合、車両１２００は、モータ１２２０に加えてエンジンを備える。なお、図７では、車両１２００の充電箇所としてインレットを示すが、プラグを備える形態としても良い。
【０１０２】
電力変換装置１１００は、メインバッテリ１２１０に接続されるコンバータ１１１０と、コンバータ１１１０に接続されて、直流と交流との相互変換を行うインバータ１１２０とを有する。この例に示すコンバータ１１１０は、車両１２００の走行時、２００Ｖ〜３００Ｖ程度のメインバッテリ１２１０の直流電圧（入力電圧）を４００Ｖ〜７００Ｖ程度にまで昇圧して、インバータ１１２０に給電する。また、コンバータ１１１０は、回生時、モータ１２２０からインバータ１１２０を介して出力される直流電圧（入力電圧）をメインバッテリ１２１０に適合した直流電圧に降圧して、メインバッテリ１２１０に充電させている。インバータ１１２０は、車両１２００の走行時、コンバータ１１１０で昇圧された直流を所定の交流に変換してモータ１２２０に給電し、回生時、モータ１２２０からの交流出力を直流に変換してコンバータ１１１０に出力している。
【０１０３】
コンバータ１１１０は、図８に示すように複数のスイッチング素子１１１１と、スイッチング素子１１１１の動作を制御する駆動回路１１１２と、リアクトルＬとを備え、ＯＮ／ＯＦＦの繰り返し（スイッチング動作）により入力電圧の変換（ここでは昇降圧）を行う。スイッチング素子１１１１には、ＦＥＴ，ＩＧＢＴなどのパワーデバイスが利用される。リアクトルＬは、回路に流れようとする電流の変化を妨げようとするコイルの性質を利用し、スイッチング動作によって電流が増減しようとしたとき、その変化を滑らかにする機能を有する。このリアクトルＬとして、上記実施形態、変形実施形態に記載のリアクトルを用いる。軽量で扱い易いこれらリアクトルを用いることで、電力変換装置１１００（コンバータ１１１０を含む）の軽量化を図ることができる。
【０１０４】
ここで、上記車両１２００は、コンバータ１１１０の他、メインバッテリ１２１０に接続された給電装置用コンバータ１１５０や、補機類１２４０の電力源となるサブバッテリ１２３０とメインバッテリ１２１０とに接続され、メインバッテリ１２１０の高圧を低圧に変換する補機電源用コンバータ１１６０を備える。コンバータ１１１０は、代表的には、ＤＣ−ＤＣ変換を行うが、給電装置用コンバータ１１５０や補機電源用コンバータ１１６０は、ＡＣ−ＤＣ変換を行う。給電装置用コンバータ１１５０のなかには、ＤＣ−ＤＣ変換を行うものもある。給電装置用コンバータ１１５０や補機電源用コンバータ１１６０のリアクトルに、上記実施形態や変形例のリアクトルなどと同様の構成を備え、適宜、大きさや形状などを変更したリアクトルを利用することができる。また、入力電力の変換を行うコンバータであって、昇圧のみを行うコンバータや降圧のみを行うコンバータに、上記実施形態のリアクトルなどを利用することもできる。
【０１０５】
なお、本発明は、上述した実施の形態に限定されるものではなく、本発明の要旨を逸脱しない範囲で適宜変更することが可能である。例えば、コイル素子を一つしか持たないリアクトルにも、本発明の構成を適用することができる。
【産業上の利用可能性】
【０１０６】
本発明のリアクトルは、ハイブリッド自動車や電気自動車、燃料電池自動車といった車両に搭載される双方向ＤＣ−ＤＣコンバータといった電力変換装置の構成部品に利用することができる。
【符号の説明】
【０１０７】
１  リアクトル
１０  組合体
２  コイル
２Ａ，２Ｂ  コイル素子  ２ｒ  コイル素子連結部  ２ａ，２ｂ  端部
３  磁性コア
３１  内側コア部    ３１ｍ  コア片  ３１ｇ  ギャップ材  ３１ｅ  端面
３２  外側コア部
４Ａ，４Ｂ  コア部品
４０  被覆樹脂
４１ｏＡ  周面被覆部  ４１７  係合部
４１ｅＡ  端部被覆部
４２Ａ  枠状部  ４３０  貫通孔
４３Ａ  係合筒部
４６Ａ  仕切り部
６  ケース
６０  底板部    Ｈ１  第一取付孔  Ｈ２  第二取付孔
６１  側壁部
６１Ｆ  フランジ部    Ｈ３  第三取付孔  Ｈ４  第四取付孔
６Ａ，６Ｂ  コアカバー部  ６Ｓａ，６Ｓｂ  端子台
６Ｃ  係合爪  ６Ｇ  ガイド突起  ６Ｆ  フック  ６Ｒ  スライドレール
６Ｐ  係合筒部（ケース側押圧係合部）
６Ｑ  ケース側押圧係合部  ６Ｑｂ  ベース部  ６Ｑｏ  張出部
６３  ネジ（固定部材）
７Ａ  絶縁シート  ７Ｂ  接着シート
８ａ，８ｂ  端子部材
８０  温度測定部材    ８１  温度センサ  ８２  配線  ８３  保持部
９  蓋
９０  端子カバー部  ９１  庇部
９Ｃ  留め具
９Ｐ  係合突起部（蓋側押圧係合部）  ９Ｐｓ  基部  ９Ｐｆ  フィン
９Ｑ  蓋側押圧係合部
１１００  電力変換装置
１１１０  コンバータ    １１１１  スイッチング素子  １１１２  駆動回路
Ｌ  リアクトル
１１２０  インバータ
１１５０  給電装置用コンバータ  １１６０  補機電源用コンバータ
１２００  車両
１２１０  メインバッテリ
１２２０  モータ
１２３０  サブバッテリ
１２４０  補機類
１２５０  車輪
【図１】
2014027026.tif 000003
【図２】
2014027026.tif 000004
【図３】
2014027026.tif 000005
【図４】
2014027026.tif 000006
【図５】
2014027026.tif 000007
【図６】
2014027026.tif 000008
【図７】
2014027026.tif 000009
【図８】
2014027026.tif 000010